(57)【要約】【課題】  使用条件に応じた最適な音場を容易に実現できる音楽再生装置を提供する。【解決手段】  カラオケ装置１０が利用される環境においてそのカラオケ装置１０から出力された音情報を入力するための音場設定用マイク４８と、その音場設定用マイク４８により入力された音情報を周波数解析して複数の周波数帯域毎のゲインを示す周波数特性を算出するＤＳＰ周波数解析器４６と、そのＤＳＰ周波数解析器４６により算出されるカラオケ装置１０から出力されたピンクノイズの周波数特性が予め定められた推奨周波数特性と一致するようにその出力特性を自動変更するＤＳＰ４４とを含むことから、音場設定を行うために音響に関する専門的な知識を一切要しない。【選択図】  図４
2004318075.tif 000002
【特許請求の範囲】
【請求項１】
複数の演奏曲のうちから選択入力された所望の演奏曲を出力させる音楽再生装置であって、
該音楽再生装置が利用される環境において該音楽再生装置から出力された音情報を入力するための音情報入力手段と、
該音情報入力手段により入力された音情報を周波数解析して複数の周波数帯域毎のゲインを示す周波数特性を算出する周波数特性算出手段と、
該周波数特性算出手段により算出される前記音楽再生装置から出力された所定の音情報の周波数特性が予め定められた推奨周波数特性と一致するように前記音楽再生装置の出力特性を変更する出力特性変更手段と
を、含むことを特徴とする音楽再生装置。
【請求項２】
前記出力特性変更手段は、予め定められた時間帯に応じて前記音楽再生装置の出力特性を補正するものである請求項１の音楽再生装置。
【請求項３】
前記出力特性変更手段は、前記音楽再生装置を利用する客層に応じて該音楽再生装置の出力特性を補正するものである請求項１又は２の音楽再生装置。
【請求項４】
前記出力特性変更手段は、温度及び湿度に応じて前記音楽再生装置の出力特性を補正するものである請求項１から３の何れかの音楽再生装置。
【請求項５】
前記出力特性変更手段は、所定の手動操作に応じて前記音楽再生装置の出力特性を変更し得るものである請求項１から４の何れかの音楽再生装置。
【請求項６】
前記出力特性変更手段により変更された前記音楽再生装置の出力特性を記憶する出力特性記憶手段を含むものである請求項１から５の何れかの音楽再生装置。
【請求項７】
所定のサーバ又は他の音楽再生装置との間で前記音楽再生装置の出力特性の送受信を行う出力特性送受信手段を含むものである請求項１から６の何れかの音楽再生装置。
【発明の詳細な説明】
【技術分野】
【０００１】
本発明は、例えば、カラオケボックスで使用されるカラオケ装置等の音楽再生装置に関し、特に、使用条件に応じて音場を設定する機能に関する。
【背景技術】
【０００２】
所定の記憶装置に予め記憶された複数の演奏曲のうちから選択入力された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報をその出力に同期して画面に表示させることで、所望の歌のカラオケ演奏を楽しむことができる。
【０００３】
ところで、音楽再生装置から出力される音の聞こえ方は、その音楽再生装置が設置されている部屋の広さ、形、壁の材質等に応じて変化する。そこで、設置場所に応じて最適な音場を設定できる機能を備えた音楽再生装置が提案されている。例えば、特許文献１に記載された音楽再生装置がそれである。この音楽再生装置によれば、音声信号を取り込むマイクロフォンと、そのマイクロフォンにより取り込まれた音声信号を各周波数帯域に分割するＤＳＰ（Digital Signal Processor）部と、そのＤＳＰ部により各周波数帯域に分割された音声信号を周波数特性として表示する表示部とを備えていることから、その表示部に表示された周波数特性に基づいてマニュアル操作により音声信号のイコライジング加工等を行うことにより、設置場所に応じた所望の音場を実現できる。
【０００４】
【特許文献１】特開平１０−５５１８５号公報
【０００５】
しかし、前記従来の技術のように、視覚的に表示された周波数特性に基づいてマニュアル操作により音声信号のイコライジング加工等を行うには音響に関する専門的な知識が必要とされることから、実際に音場設定操作を行うカラオケボックスの店員等にとって、設置場所等の使用条件に応じた最適な音場を実現するのは困難であった。
【発明の開示】
【発明が解決しようとする課題】
【０００６】
本発明は、以上の事情を背景として為されたものであり、その目的とするところは、使用条件に応じた最適な音場を容易に実現できる音楽再生装置を提供することにある。
【課題を解決するための手段】
【０００７】
斯かる目的を達成するために、本発明の要旨とするところは、複数の演奏曲のうちから選択入力された所望の演奏曲を出力させる音楽再生装置であって、その音楽再生装置が利用される環境においてその音楽再生装置から出力された音情報を入力するための音情報入力手段と、その音情報入力手段により入力された音情報を周波数解析して複数の周波数帯域毎のゲインを示す周波数特性を算出する周波数特性算出手段と、その周波数特性算出手段により算出される前記音楽再生装置から出力された所定の音情報の周波数特性が予め定められた推奨周波数特性と一致するように前記音楽再生装置の出力特性を変更する出力特性変更手段とを、含むことを特徴とするものである。
【発明の効果】
【０００８】
このようにすれば、前記音楽再生装置が利用される環境においてその音楽再生装置から出力された音情報を入力するための音情報入力手段と、その音情報入力手段により入力された音情報を周波数解析して複数の周波数帯域毎のゲインを示す周波数特性を算出する周波数特性算出手段と、その周波数特性算出手段により算出される前記音楽再生装置から出力された所定の音情報の周波数特性が予め定められた推奨周波数特性と一致するように前記音楽再生装置の出力特性を変更する出力特性変更手段とを、含むことから、音場設定を行うために音響に関する専門的な知識を一切要しない。すなわち、使用条件に応じた最適な音場を容易に実現できる音楽再生装置を提供することができる。
【０００９】
ここで、好適には、前記出力特性変更手段は、予め定められた時間帯に応じて前記音楽再生装置の出力特性を補正するものである。このようにすれば、更にきめ細かな音場設定を行うことができるという利点がある。
【００１０】
また、好適には、前記出力特性変更手段は、前記音楽再生装置を利用する客層に応じてその音楽再生装置の出力特性を補正するものである。このようにすれば、更にきめ細かな音場設定を行うことができるという利点がある。
【００１１】
また、好適には、前記出力特性変更手段は、温度及び湿度に応じて前記音楽再生装置の出力特性を補正するものである。このようにすれば、更にきめ細かな音場設定を行うことができるという利点がある。
【００１２】
また、好適には、前記出力特性変更手段は、所定の手動操作に応じて前記音楽再生装置の出力特性を変更し得るものである。このようにすれば、使用条件に応じて音場を自動設定した後、手動操作にて出力特性を微調整する等の設定が可能となり、更にきめ細かな音場設定を行うことができるという利点がある。
【００１３】
また、好適には、前記出力特性変更手段により変更された前記音楽再生装置の出力特性を記憶する出力特性記憶手段を含むものである。このようにすれば、予め前記出力特性変更手段により複数の使用条件に応じた出力特性をそれぞれ設定して記憶しておき、適宜読み出して前記音楽再生装置に適用できるという利点がある。
【００１４】
また、好適には、所定のサーバ又は他の音楽再生装置との間で前記音楽再生装置の出力特性の送受信を行う出力特性送受信手段を含むものである。このようにすれば、前記出力特性変更手段により実際に設定された前記音楽再生装置の出力特性を推奨値としてサーバに送信したり、他の音楽再生装置に適用される出力特性としてその音楽再生装置に送信したり、他の音楽再生装置により実際に設定された出力特性をその音楽再生装置或いはサーバから受信することができるという利点がある。
【実施例】
【００１５】
以下、本発明の好適な実施例を図面に基づいて詳細に説明する。
【００１６】
図１は、本発明が適用された音楽再生装置の一例であるカラオケ装置１０の構成を示すブロック線図である。この図１に示すように、斯かるカラオケ装置１０は、ＣＲＴ等の映像表示装置１２と、背景映像再生用のディスクプレーヤ１４と、ビデオミキサ１６と、アンプミキサ１８と、スピーカ２０と、音声入力装置であるマイク２２と、操作パネル２４と、中央演算処理装置であるＣＰＵ２６、ＲＯＭ２８、ＲＡＭ３０、記憶装置であるハードディスク３２、モデム３４、接続ポート３５、ＣＲＴコントローラ３６、上記操作パネル２４からの入力信号を処理する入出力インターフェイス３８、音楽情報を合成して出力するためのシンセサイザ４０、Ｄ／Ａコンバータ４２、音場設定装置であるＤＳＰ（デジタル信号処理装置：Digital Signal Processor）４４、ＤＳＰ周波数解析器４６、音場設定用マイク４８、温度センサ５０、及び湿度センサ５２とを、備えて構成されている。
【００１７】
上記ＣＰＵ２６は、上記ＲＯＭ２８に記憶された所定のプログラムに基づいて電子情報を処理・制御する所謂マイクロコンピュータであり、ユーザ（カラオケ装置１０の利用者）により所定のカラオケ演奏曲が選曲された場合、上記ハードディスク３２からＲＡＭ３０に選曲されたカラオケ演奏曲の演奏情報及び歌詞情報を読み出したり、カラオケ演奏曲の演奏が進行するのに応じてそのＲＡＭ３０から上記シンセサイザ４０へ演奏情報を送信したり、上記ＣＲＴコントローラ３６へ歌詞情報に基づいて歌詞文字映像を生成して送ったり、選曲時には曲名文字映像をＣＲＴコントローラ３６へ送ったり、上記ディスクプレーヤ１４により所定の背景映像を再生させる等の基本的な制御に加えて、上記ＤＳＰ４４、ＤＳＰ周波数解析器４６、及び音場設定用マイク４８等による音場設定制御を実行する。
【００１８】
前記操作パネル２４は、ユーザが歌いたいカラオケ演奏曲を選択したり、演奏曲の音程を調整したり、演奏と歌との音量バランスを調整したり、顧客を識別するために顧客毎に設定された顧客ＩＤを入力したり、その他、エコー、音量、トーン等の各種調整を行うための操作釦（スイッチ）或いはつまみを備えた入力装置である。この操作パネル２４には、音場設定用の操作つまみ２５が設けられており、その操作つまみ２５を回転させたり、押したりする操作により後述する音場設定が行われる。また、前記カラオケ装置１０には、前記操作パネル２４の一部機能を遠隔で実行するために、かかる操作パネル２４と同様に入力装置として機能するリモコン５４が備えられている。
【００１９】
前記ディスクプレーヤ１４は、カラオケ演奏時に前記映像表示装置１２に表示される背景映像を記憶したＣＤやＤＶＤを再生する背景映像再生装置である。また、前記ビデオミキサ１６は、前記ハードディスク３２から読み出された歌詞情報に基づいて前記ＣＰＵ２６において生成され且つ前記ＣＲＴコントローラ３６から出力される歌詞文字映像（歌詞テロップ）と、前記ディスクプレーヤ１４等から送られる背景映像とを合成して前記映像表示装置１２に表示させる映像合成装置である。
【００２０】
前記シンセサイザ４０は、前記ハードディスク３２から読み出されて送られて来る演奏曲の演奏情報に基づき、楽器の演奏信号等の音楽信号を生成する音源である。生成された音楽信号は、アナログ信号に変換されて前記ＤＳＰ４４へ供給された後、所定の出力特性にて前記アンプミキサ１８へ供給される。そのアンプミキサ１８では、送られてきた音楽信号と前記マイク２２を介して入力されるユーザの音声とがミキシングされ、それらの信号が電気的に増幅される。そして、そのミキシングされた音が前記スピーカ２０から出力される。前記Ｄ／Ａコンバータ４２は、例えば、ＷＡＶ形式ファイルのデータをアナログ信号に変換し、カラオケ演奏に際してその出力を前記ＤＳＰ４４へ供給する一方、後述する音場設定時にはその出力を前記ミキサアンプ１８へ直接供給する。
【００２１】
図２は、前記ＤＳＰ４４の構成を示すブロック線図である。この図２に示すように、前記ＤＳＰ４４は、パラメトリックイコライザ５６、グラフィックイコライザ５８、エンハンサ６０、アイソレータ６２、エキスパンダ６４、及びコンプレッサ６６を備えて構成されており、前記ＣＰＵ２６からの指令に従って前記アンプミキサ１８に出力される音楽信号の出力特性を制御する。上記パラメトリックイコライザ５６及びグラフィックイコライザ５８は、例えば４乃至３１帯域といった複数の周波数帯域毎のゲインすなわち音圧レベルを変更する。上記エンハンサ６０は、所定の周波数帯域の音をきらびやかにする。上記アイソレータ６２は、複数の周波数帯域別に音を分割する。上記エキスパンダ６４は、所定の周波数帯域の音を伸張する。上記コンプレッサ６６は、所定の周波数帯域の音を圧縮する。
【００２２】
前記温度センサ５０は、前記カラオケ装置１０が利用される環境（設置場所）の温度を検出する。前記湿度センサ５２は、前記カラオケ装置１０が利用される環境の湿度を検出する。前記温度センサ５０により検出された温度を表す信号及び前記湿度センサ５２により検出された湿度を表す信号は、前記ＣＰＵ２６へ供給される。
【００２３】
図３は、前記リモコン５４の操作部を説明する図である。この図に示すように、斯かるリモコン５４の操作部には、０から９までの数字を含む１２個の数字釦５４ａ、選曲釦５４ｂ、左右上下の矢印釦５４ｃ、及び取消釦５４ｄが設けられている。また、操作補助・確認のための表示部５４ｅが設けられている。上記数字釦５４ａは、選曲番号や顧客ＩＤを入力するための釦（スイッチ）であり、その数字釦５４ａが押されると、その数字が上記表示部５４ｅに表示され、上記選曲釦５４ｂが押されることによりその選曲番号や顧客ＩＤが出力されて選曲番号や顧客ＩＤが確定する。左右上下の矢印釦５４ｃは、前記映像表示装置１２に選択肢が表示された際、同様に表示されるカーソル等を左右上下に移動させるための釦であり、その矢印釦５４ｃが操作されると、カーソル移動信号が出力されて上記選曲釦５４ｂが押されることにより選択している項目が確定する。また、前記カラオケ装置１０によるカラオケ演奏中に左右の矢印釦５４ｃが操作されると、演奏音の音程を変更するための音程変更信号が出力される。また、この矢印釦５４ｃは、後述するマニュアル操作による音場設定に際して前記映像表示装置１２に表示される周波数特性を示す曲線を変形して前記カラオケ装置１０の出力特性を変更するため等にも用いられる。なお、図１に示すように、これらの釦及び表示部に対応する構成が前記操作パネル２４にも設けられており、その操作パネル２４によっても同様の操作が可能とされている。
【００２４】
前記ハードディスク３２には、選曲番号により識別されるカラオケ演奏曲毎に演奏情報、ＷＡＶ形式のバックコーラス情報、歌詞情報、及び曲名情報等を記憶する曲データベース及びＷＡＶ形式の測定用データ、ホワイトノイズやピンクノイズをデジタル符号化したデータ、前記カラオケ装置１０の出力特性を設定する際の基準となる推奨周波数特性及び補正周波数特性、及び音場設定により得られた結果である出力特性等を記憶する特性データベースが設けられている。すなわち、前記ハードディスク３２は、出力特性変更手段により変更（設定）された前記カラオケ装置１０の出力特性を記憶する出力特性記憶手段として機能する。また、上記曲データベースの演奏情報は、例えばＭＩＤＩ（Musical Instrument Digital Interface）形式で格納され、カラオケ演奏に際しては前記シンセサイザ４０へ供給される。
【００２５】
前記モデム３４は、前記ＣＰＵ２６を公衆電話回線、有線放送用ケーブル、或いは光ファイバ等による通信回線６７に接続するための装置であり、カラオケボックス等の店舗にそれぞれ備えられた複数の前記カラオケ装置１０は、斯かる通信回線６７を介してカラオケサービス提供会社のホストサーバ６８に接続されることで、そのホストサーバ６８との間で情報の送受信が可能とされている。そして、前記カラオケ装置１０によって常に新しい曲を演奏可能とするために、随時新曲の曲情報等がそのホストサーバ６８から斯かる通信回線６７を介してダウンロードされ、前記ハードディスク３２の曲データベースに格納される。また、前記接続ポート３５は、前記カラオケ装置１０をＬＡＮケーブル等のケーブル６９を介して他のカラオケ装置１０や店舗毎に備えられたローカルサーバ（自家サーバ）７０等に接続するための接続器であり、前記カラオケ装置１０は、そのようにケーブル６９を介して接続されることで、他のカラオケ装置１０やローカルサーバ７０等との間で情報の送受信が可能とされている。
【００２６】
図４は、前記カラオケ装置１０に備えられた音場設定機能の要部を説明する機能ブロック線図である。前記音場設定用マイク４８は、前記カラオケ装置１０が利用される環境においてそのカラオケ装置１０のスピーカ２０から出力された音情報を入力する音情報入力手段として機能する。前記ＤＳＰ周波数解析器４６は、よく知られた周波数解析アルゴリズムに従ってその音場設定用マイク４８により入力された音情報を周波数解析して複数の周波数帯域毎のゲイン（単位デジベル：ｄＢ）すなわち音圧レベルを示す周波数特性を算出する周波数特性算出手段として機能する。このＤＳＰ周波数解析器４６は、前記ＣＰＵ２６により制御され、算出された複数の周波数帯域毎のゲインを示す周波数特性がＣＰＵ２６へ供給される。出力特性送受信手段７１は、前記ＣＰＵ２６に備えられた制御機能であり、前記ホストサーバ６８、ローカルサーバ７０、或いは他のカラオケ装置１０との間で前記カラオケ装置１０の出力特性の送受信を行う。すなわち、前記ＤＳＰ４４により実際に設定された出力特性を推奨値や参考値として前記ホストサーバ６８に送信したり、他のカラオケ装置１０に適用する出力特性としてそのカラオケ装置１０或いはローカルサーバ７０に送信したり、他のカラオケ装置１０のＤＳＰ４４により実際に設定された出力特性をそのカラオケ装置１０或いはローカルサーバ７０から受信したりといった制御を行う。なお、この出力特性送受信手段７１により受信された出力特性は、前記ハードディスク３２の特性データベースに前記カラオケ装置１０に適用され得る出力特性として記憶される。カラオケボックス等の店舗においては、広さ及び内装等の環境が類似した個室が複数あり、それぞれに前記カラオケ装置１０が設置されていることが多いため、１室に設置されたカラオケ装置１０により設定された出力特性を他の室に設けられたカラオケ装置１０に適用することが可能であり、そのようにすれば、各室に設けられたカラオケ装置１０に関して出力特性の設定を行う煩雑さを解消できる。
【００２７】
出力特性変更手段である前記ＤＳＰ４４は、前記ＣＰＵ２６の制御に従い、前記ＤＳＰ周波数解析器４６により算出される前記カラオケ装置１０から出力された所定の音情報の周波数特性が予め定められた推奨周波数特性と一致するようにその出力特性を変更する。この所定の音情報は、好適には、前記ハードディスク３２に予め記憶されたピンクノイズ（単位周波数帯域に含まれる成分の強さが周波数に反比例する性質を持つ雑音）或いはホワイトノイズ（単位周波数帯域に含まれる成分の強さが周波数によらず一定である雑音）等を内容とするノイズ曲であり、通常の演奏曲と同様に所定の選曲番号が入力されることで読み出されて前記スピーカ２０から出力される。
【００２８】
図５は、前記ＣＰＵ２６による音場設定を説明する図である。この図５に示すように、前記ＤＳＰ４４は、前記音場設定用マイク４８により集音（入力）されて前記ＤＳＰ周波数解析器４６により算出されるノイズ曲の周波数特性を示す曲線７２が前記ハードディスク３２の特性データベースに記憶された推奨周波数特性を示す曲線７４と一致するように前記アンプミキサ１８に出力される音楽信号の出力特性を変更する。ここで、前記音場設定用マイク４８による集音は、ユーザがカラオケ演奏に際して位置する場所で行われるのが好ましい。
【００２９】
前記ＤＳＰ４４は、好適には、前記カラオケ装置１０が利用される環境を始めとする様々な条件に応じてその出力特性を補正する。この補正は、例えば、上記推奨周波数特性を変更したうえで前述した図５に示す音場設定を再び実行することにより行われ、好適には、上記特性データベースに記憶された複数の条件に対応する補正周波数特性及び上記推奨周波数特性における各周波数帯域におけるゲインの平均値を算出して、その平均値を推奨周波数特性として利用する。
【００３０】
前記ＤＳＰ４４は、好適には、予め定められた時間帯に応じてその出力特性を補正する。図６は、午前１１時乃至午後３時に対応する補正周波数特性を示す曲線７６を、図７は、午後３時乃至午後８時に対応する補正周波数特性を示す曲線７８を、図８は、午後８時乃至午前１１時に対応する補正周波数特性を示す曲線８０をそれぞれ示している。カラオケボックスを利用する客層を時間帯別に考えると、夕方には高校生が、夜間にはサラリーマンが、深夜乃至昼間には大学生が多い。従って、それぞれの客層に合わせた補正を行うことにより、更に好適な音場が実現される。
【００３１】
また、前記ＤＳＰ４４は、好適には、前記カラオケ装置１０を利用する客層に応じてその出力特性を補正する。図９は、年齢が１０代乃至２０代の利用者に対応する補正周波数特性を示す曲線８２を、図１０は、年齢が３０代の利用者に対応する補正周波数特性を示す曲線８４を、図１１は、年齢が４０代以上の利用者に対応する補正周波数特性を示す曲線８６をそれぞれ示している。一般に、年齢があがるにつれて高音域が耳に障るようになる等、年齢によって最適な周波数特性が異なる。従って、利用者の年齢に合わせた補正を行うことにより、更に好適な音場が実現される。
【００３２】
また、前記ＤＳＰ４４は、好適には、温度及び湿度に応じてその出力特性を補正する。図１２は、温度１８℃、湿度５０％の使用環境に対応する補正周波数特性を示す曲線８８を示している。音波の伝わり方は温度及び湿度によって変化することから、温度及び湿度によって最適な周波数特性が異なる。従って、温度及び湿度に合わせた補正を行うことにより、更に好適な音場が実現される。
【００３３】
図１３は、前記ＣＰＵ２６による音場設定制御を説明するフローチャートであり、所定の周期で繰り返し実行されるものである。以下、このフローチャートに従い前記カラオケ装置１０の音場設定制御について説明する。
【００３４】
先ず、図１３に示すステップ（以下、ステップを省略する）Ｓ１において、前記映像表示装置１２に所定の音場設定画面が表示される。図１４は、このＳ１にて前記映像表示装置１２に表示される音場設定画面を例示する図であり、自動設定である「音場測定＆自動音場設定」、手動操作による「マニュアル音場設定」、前記カラオケ装置１０が設置されている部屋の環境を設定する「部屋の環境」、客層或いは時間帯等の環境を設定する「環境設定」等のうちから前記操作つまみ２５の回転及び押下操作により何れかを選択できるようになっている。
【００３５】
次に、Ｓ２において、前記音場設定用マイク４８の準備について説明するマイク準備画面が表示される。図１５は、このＳ２にて前記映像表示装置１２に表示されるマイク準備画面を例示する図であり、前記音場設定用マイク４８の接続案内及び各種音量を合わせるべき値等が表示されるようになっている。ここで、前記音場設定用マイク４８が正しく接続されずに次のステップへの移行操作が行われた場合には、図１６に示すように、前記音場設定用マイク４８が接続されていない旨の注意画面が前記映像表示装置１２に表示される。
【００３６】
次に、Ｓ３において、前記ノイズ曲に対応する選曲番号を案内する図示しないノイズ曲案内画面が表示される。次に、Ｓ４において、前記ノイズ曲に対応する選曲番号が入力されたか否かが判断される。この判断が否定されるうちは、Ｓ４の判断が繰り返されることにより待機させられるが、Ｓ４の判断が肯定される場合には、Ｓ５において、前記ノイズ曲の演奏（出力）が開始される。図１７は、前記ノイズ曲の演奏が開始された後に前記映像表示装置１２に表示されるマイク入力レベル調整画面を例示しており、この画面を参照しながら前記音場設定用マイク４８の入力レベルが適正値に合わせられるようになっている。
【００３７】
次に、周波数特性算出手段の作動に対応するＳ６において、音情報入力手段に対応する前記音場設定用マイク４８により集音（入力）されたノイズ音の周波数特性が前記ＤＳＰ周波数解析器４６により算出される。図１８は、このＳ６にて前記映像表示装置１２に表示される周波数特性測定画面を例示する図である。次に、Ｓ７において、Ｓ６による算出結果を参照してのマニュアル（手動）操作設定であるか否かが判断される。このＳ７の判断が肯定される場合には、Ｓ８において、前記操作つまみ２５の回転及び押下操作により前記ＤＳＰ４４の出力特性が手動変更された後、Ｓ１２において、出力特性の保存が行われるか否かが判断されるが、Ｓ７の判断が否定される場合には、Ｓ９において、上述したＳ６にて算出されたノイズ音の周波数特性が予め定められた推奨周波数特性と一致するように前記ＤＳＰ４４の出力特性が自動変更された後、Ｓ１０において、マニュアル操作による出力特性の微調整が行われるか否かが判断される。図１９は、このＳ９において前記映像表示装置１２に表示される出力特性設定画面を例示する図であり、設定が完了すると、図２０に示すような出力特性設定完了画面が前記映像表示装置１２に表示される。
【００３８】
Ｓ１０の判断が否定される場合、すなわちマニュアル操作による出力特性の微調整が行われないと判断される場合には、Ｓ１２の処理が行われるが、Ｓ１０の判断が肯定される場合、すなわちマニュアル操作による出力特性の微調整が行われると判断される場合には、Ｓ１１において、前記操作つまみ２５の回転及び押下操作によりＳ９にて自動設定された前記ＤＳＰ４４の出力特性が微調整された後、Ｓ１２の処理が行われる。図２１は、このＳ１１にて前記映像表示装置１２に表示される出力特性手動調整画面を例示しており、画面内における上段の波形は予め定められた推奨周波数特性（或いは、環境設定等により補正された特性）を、画面内における下段の波形はＳ９にて設定された前記ＤＳＰ４４の出力特性を示している。Ｓ９における自動設定が行われた段階において、これら上段及び下段の出力特性は一致している。また、下段の波形では太い横線にてイコライジング設定値を表しており、前記操作つまみ２５を回転させて所定の周波数帯域に合わせ、押下してその周波数帯域を選択した後に操作つまみ２５を回転させることによりその周波数帯域のイコライジング設定値を手動操作にて調整できるようになっている。更に、このＳ１１において、選曲番号を入力することで所望のカラオケ演奏曲を出力させられるようになっており、実際に演奏を聴きながら設定を行うことが可能とされている。
【００３９】
Ｓ１２の判断が否定される場合、すなわち出力特性の保存が行われないと判断される場合には、Ｓ１４において、出力特性の送受信が行われるか否かが判断されるが、Ｓ１２の判断が肯定される場合、すなわち出力特性の保存が行われると判断される場合には、出力特性記憶手段に対応するＳ１３において、前記ハードディスク３２の特性データベースにＳ８、Ｓ９、或いはＳ１１にて設定された前記ＤＳＰ４４の出力特性が記憶された後、Ｓ１６において、音場設定操作終了であるか否かが判断される。図２２は、このＳ１３にて前記映像表示装置１２に表示される出力特性保存画面を例示する図であり、設定後の出力特性がメモリ１乃至５の何れかの保存領域に保存できるようになっている。
【００４０】
Ｓ１４の判断が否定される場合、すなわち出力特性の送受信が行われないと判断される場合には、Ｓ１６の処理が行われるが、Ｓ１４の処理が肯定される場合、すなわち出力特性の送受信が行われると判断される場合には、出力特性送受信手段７１に対応するＳ１５において、前記通信回線６７或いはケーブル６９等を介して前記ホストサーバ６８、ローカルサーバ７０、又は他のカラオケ装置１０との間で出力特性の送受信が行われた後、Ｓ１６の処理が行われる。Ｓ１６の判断が否定される場合、すなわち音場設定操作終了ではないと判断される場合には、Ｓ６以下の処理が再び実行されるが、Ｓ１６の判断が肯定される場合、すなわち音場設定操作終了であると判断される場合には、それをもって本ルーチンが終了させられる。以上の制御において、Ｓ８、Ｓ９、及びＳ１１が出力特性変更手段すなわち前記ＤＳＰ４４の作動に対応する。
【００４１】
このように、本実施例によれば、音楽再生装置である前記カラオケ装置１０が利用される環境においてそのカラオケ装置１０から出力された音情報を入力するための音情報入力手段である音場設定用マイク４８と、その音場設定用マイク４８により入力された音情報を周波数解析して複数の周波数帯域毎のゲインを示す周波数特性を算出する周波数特性算出手段であるＤＳＰ周波数解析器４６（Ｓ６）と、そのＤＳＰ周波数解析器４６により算出される前記カラオケ装置１０から出力された所定のノイズ音の周波数特性が予め定められた推奨周波数特性と一致するようにその出力特性を変更する出力特性変更手段であるＤＳＰ４４（Ｓ８、Ｓ９、Ｓ１１）とを、含むことから、音場設定を行うために音響に関する専門的な知識を一切要しない。すなわち、使用条件に応じた最適な音場を容易に実現できるカラオケ装置１０を提供することができる。
【００４２】
また、前記ＤＳＰ４４は、前記カラオケ装置１０の利用される環境或いは利用する客層等の様々な条件、例えば予め定められた時間帯、前記カラオケ装置１０を利用する客層、温度及び湿度等に応じてその出力特性を補正するものであることから、更にきめ細かな音場設定を行うことができるという利点がある。
【００４３】
また、前記ＤＳＰ４４は、所定の手動操作に応じて前記カラオケ装置１０の出力特性を変更し得るものであるため、使用条件に応じて音場を自動設定した後、手動操作にて出力特性を微調整する等の設定が可能となり、更にきめ細かな音場設定を行うことができるという利点がある。
【００４４】
また、前記ＤＳＰ４４により変更された前記カラオケ装置１０の出力特性を記憶する出力特性記憶手段であるハードディスク３２（Ｓ１３）を含むものであるため、予め前記ＤＳＰ４４により複数の使用条件に応じた出力特性をそれぞれ設定して記憶しておき、適宜読み出して前記カラオケ装置１０に適用できるという利点がある。
【００４５】
また、前記ホストサーバ６８、ローカルサーバ７０、又は他のカラオケ装置１０との間で前記ＤＳＰ４４の出力特性の送受信を行う出力特性送受信手段７１（Ｓ１５）を含むものであるため、前記ＤＳＰ４４により実際に設定された前記カラオケ装置１０の出力特性を推奨値として前記ホストサーバ６８に送信したり、他のカラオケ装置１０に適用される出力特性としてそのカラオケ装置１０に送信したり、他のカラオケ装置１０により実際に設定された出力特性をそのカラオケ装置１０或いはローカルサーバ７０から受信することができるという利点がある。
【００４６】
以上、本発明の好適な実施例を図面に基づいて詳細に説明したが、本発明はこれに限定されるものではなく、更に別の態様においても実施される。
【００４７】
例えば、前述の実施例では、専ら音場設定に用いられる音情報入力手段として前記音場設定用マイク４８が設けられていたが、この音場設定用マイク４８は必ずしも設けられていなくともよく、例えば、カラオケ演奏に際して音声を入力するための前記マイク２２が音場設定に用いられても構わない。
【００４８】
また、前述の実施例では、前記カラオケ装置１０は、前記通信回線６７を介してカラオケサービス提供会社のホストサーバ６８に接続されると共に、ケーブル６９等を介して店舗毎のローカルサーバ７０に接続されるものであったが、例えば、そのローカルサーバ７０がカラオケサービス提供会社のホストサーバ６８に接続されて複数のカラオケ装置１０に配信される情報を一括して管理する態様等においては、各カラオケ装置１０は、必ずしも前記ホストサーバ６８に直接接続されなくてもよい。また、店舗毎にローカルサーバ７０が設けられておらず、所定のカラオケ装置１０がホスト装置としてカラオケサービス提供会社のホストサーバ６８に接続されて複数のカラオケ装置１０に配信される情報を一括して管理する態様も考えられる。この場合には、各カラオケ装置１０は、そのホスト装置である所定のカラオケ装置１０にケーブル６９等を介して接続されるが、必ずしも前記ホストサーバ６８に直接接続されなくてもよい。
【００４９】
また、前述の実施例では、前記ＤＳＰ４４による出力特性の補正は、前記特性データベースに記憶された複数の条件に対応する補正周波数特性及び前記推奨周波数特性における各周波数帯域におけるゲインの平均値が算出され、その平均値が推奨周波数特性として利用されていたが、例えば、前記ノイズ曲を出力させて前記音場設定用マイク４８による集音を実行することなく予め定められた内部的な補正処理が実行されることでその出力特性が変更されるものであってもよい。このようにすれば、補正を実行する度に前記ノイズ音を出力させずに済み、ユーザがカラオケ演奏を行っている場合であっても演奏の合間に音場補正を実行できるという利点がある。
【００５０】
また、前述の実施例において、前記ＤＳＰ４４は、前記ノイズ音の周波数特性が前記推奨周波数特性と一致するように自動的にその出力特性を変更するものであったが、例えば前記映像表示装置１２に前記ノイズ音の周波数特性を示す曲線７２を表示させると共に前記推奨周波数特性を示す曲線７４を表示させ、マニュアル操作によりその出力特性を変更する態様であっても構わない。斯かる態様によっても、音場設定を行うために音響に関する専門的な知識を一切要せず、使用条件に応じた最適な音場を容易に実現できる。
【００５１】
また、前述の実施例において、出力特性変更手段であるＤＳＰ４４及び周波数特性算出手段であるＤＳＰ周波数解析器４６は、前記ＣＰＵ２６とは別体の装置として設けられていたが、これらは前記ＣＰＵ２６の制御機能であっても構わない。
【００５２】
また、前述の実施例において、前記操作パネル２４には、音場設定用の操作つまみ２５が設けられていたが、この操作つまみ２５は、通常のカラオケ演奏時には音量調節つまみ等として用いられるものであってもよく、必ずしも専用のつまみでなくとも構わない。また、前記リモコン５４を音場設定用の操作装置として用いる態様も考えられる。
【００５３】
また、前述の実施例では特に言及していないが、前記音場設定は、カラオケボックス等の屋内利用環境における音場を設定するものであってもよいし、屋外利用環境における音場を設定するものであっても構わない。
【００５４】
その他、一々例示はしないが、本発明はその趣旨を逸脱しない範囲内において種々の変更が加えられて実施されるものである。
【図面の簡単な説明】
【００５５】
【図１】本発明が適用された音楽再生装置の一例であるカラオケ装置の構成を示すブロック線図である。
【図２】図１のカラオケ装置に備えられたＤＳＰの構成を示すブロック線図である。
【図３】図１のカラオケ装置に備えられたリモコンの操作部を説明する図である。
【図４】図１のカラオケ装置に備えられた音場設定機能の要部を説明する機能ブロック線図である。
【図５】図１のカラオケ装置におけるＣＰＵによる音場設定を説明する図である。
【図６】午前１１時乃至午後３時に対応する補正周波数特性を示す曲線である。
【図７】午後３時乃至午後８時に対応する補正周波数特性を示す曲線である。
【図８】午後８時乃至午前１１時に対応する補正周波数特性を示す曲線である。
【図９】年齢が１０代乃至２０代の利用者に対応する補正周波数特性を示す曲線である。
【図１０】年齢が３０代の利用者に対応する補正周波数特性を示す曲線である。
【図１１】年齢が４０代以上の利用者に対応する補正周波数特性を示す曲線である。
【図１２】温度１８℃、湿度５０％の使用環境に対応する補正周波数特性を示す曲線である。
【図１３】図１のカラオケ装置におけるＣＰＵによる音場設定制御を説明するフローチャートである。
【図１４】図１の映像表示装置に表示される音場設定画面を例示する図である。
【図１５】図１の映像表示装置に表示されるマイク準備画面を例示する図である。
【図１６】図１の映像表示装置に表示される音場設定用マイクが接続されていない旨の注意画面を例示する図である。
【図１７】図１の映像表示装置に表示されるマイク入力レベル調整画面を例示する図である。
【図１８】図１の映像表示装置に表示される周波数特性測定画面を例示する図である。
【図１９】図１の映像表示装置に表示される出力特性設定画面を例示する図である。
【図２０】図１の映像表示装置に表示される出力特性設定完了画面を例示する図である。
【図２１】図１の映像表示装置に表示される出力特性手動調整画面を例示する図である。
【図２２】図１の映像表示装置に表示される出力特性保存画面を例示する図である。
【符号の説明】
【００５６】
１０：カラオケ装置（音楽再生装置）
３２：ハードディスク（出力特性記憶手段）
４４：ＤＳＰ（出力特性変更手段）
４６：ＤＳＰ周波数解析器（周波数特性算出手段）
４８：音場設定用マイク（音声情報入力手段）
６８：ホストサーバ
７０：ローカルサーバ
７１：出力特性送受信手段
【図１】
2004318075.tif 000003
【図２】
2004318075.tif 000004
【図３】
2004318075.tif 000005
【図４】
2004318075.tif 000006
【図５】
2004318075.tif 000007
【図６】
2004318075.tif 000008
【図７】
2004318075.tif 000009
【図８】
2004318075.tif 000010
【図９】
2004318075.tif 000011
【図１０】
2004318075.tif 000012
【図１１】
2004318075.tif 000013
【図１２】
2004318075.tif 000014
【図１３】
2004318075.tif 000015
【図１４】
2004318075.tif 000016
【図１５】
2004318075.tif 000017
【図１６】
2004318075.tif 000018
【図１７】
2004318075.tif 000019
【図１８】
2004318075.tif 000020
【図１９】
2004318075.tif 000021
【図２０】
2004318075.tif 000022
【図２１】
2004318075.tif 000023
【図２２】
2004318075.tif 000024